(57)【要約】【課題】外材の剥離回数が増加しても剥離機能が衰えない複合ラベルを提供すること。【解決手段】裏面に粘着剤層５、５ａを有する基材１、１ａの長手方向の一端と該基材と実質的に同じ長さと幅の外材の一端を固着してなり、前記基材の他端と前記外材の他端を接着剤層で接着してなり、前記基材の他端に該基材を貫通する切り線６が形成されており、該切り線６は接着剤層の領域より内側に形成されていることを特徴とする複合ラベル。好ましい態様は、基材と外材が、実質的に同じ長さと幅であること、基材と外材の間に有用体が設けられていることである。【選択図】          図６
2004354812.tif 000002
【特許請求の範囲】
【請求項１】
裏面に粘着剤層を有する基材の長手方向の一端と外材の一端を固着してなり、前記基材の他端と前記外材の他端を接着剤層で接着してなり、前記基材の他端に該基材を貫通する切り線が形成されており、該切り線は接着剤層の領域より内側に形成されていることを特徴とする複合ラベル。
【請求項２】
基材と外材が、実質的に同じ長さと幅であることを特徴とする請求項１記載の複合ラベル。
【請求項３】
基材と外材の間に有用体が設けられていることを特徴とする請求項１又は２記載の複合ラベル。
【発明の詳細な説明】
【０００１】
【発明の属する技術分野】
本発明は、複合ラベルに関し、詳しくは、１０数回の剥離を繰り返すことができる複合ラベルに関する。
【０００２】
【従来の技術】
従来の複合ラベルとしては、特許文献１に記載の複合ラベルが知られている。
【０００３】
この特許文献１に記載の複合ラベルは、ガム入り容器の側面に貼り付けて使用するもので、その構成は図７に示すように、台紙５０の上に、捨て紙５１が折り重ねて貼着され、この捨て紙５１を覆うように外紙５２が設けられ、その外紙５２の両側を貼着剤５３で台紙５０に剥離可能に貼着している。貼着剤５３の部分で外紙５２を剥離すると捨て紙５１を取り出すことができる。なお、外紙５２の上面には商品表示等が設けられている。
【０００４】
また、従来の複合ラベルは、図８に示すものも知られている。このラベルは、図７のラベルで台紙と外紙の間の捨て紙がない例である。
【０００５】
【特許文献１】実開平６−６７３１４号公報
【０００６】
【発明が解決しようとする課題】
図７及び図８に示す複合ラベルは、台紙５０と外紙５２の幅と長さはほとんど同じであり、台紙５０と外紙５２の両端は紙同士で貼着されている状態にある。
【０００７】
この従来の複合ラベルを実際に使用するために、台紙５０から外紙５２の一端を剥がすと、２〜３回の間は剥離できるが、それ以上になると、台紙５０と外紙５２が紙同士であるため、粘着力が極端に弱まり、貼着しなくなってしまう事態に至る。この原因は、紙と紙の接着では相手方の紙表面を接着剤が剥離してしまい、接着剤が紙で覆われて機能しなくなることが考えられる。
【０００８】
図９には、容器５４に複合ラベルを貼り付けた際、図７や図８のラベルの貼着力が無くなり、常に開いた状態になっている様子を示している。
【０００９】
このように外紙５２が開いた状態になっていると、容器５４を冷蔵庫に収納する際に、ラベルが邪魔になる欠点がある。
【００１０】
また、捨て紙入りラベル（図７）の場合には、外紙が開いた状態になっていると、ポケット等に入れた際、捨て紙が破けてしまい使用できなくなるばかりか、ゴミを増やしてしまう事にもなる。
【００１１】
更に、上記図７、図８のいずれのラベルにおいて台紙と外紙の間に商品説明書を挿入するような場合には、外紙が開いた状態にあると、その商品説明書が汚れて読めなくなる問題がある。
【００１２】
そこで本発明の課題は、外材の剥離回数が増加しても剥離機能が衰えない複合ラベルを提供することにある。
【００１３】
【課題を解決するための手段】
上記課題は、以下の各発明によって解決される。
【００１４】
（請求項１）裏面に粘着剤層を有する基材の長手方向の一端と外材の一端を固着してなり、前記基材の他端と前記外材の他端を接着剤層で接着してなり、前記基材の他端に該基材を貫通する切り線が形成されており、該切り線は接着剤層の領域より内側に形成されていることを特徴とする複合ラベル。
【００１５】
（請求項２）基材と外材が、実質的に同じ長さと幅であることを特徴とする請求項１記載の複合ラベル。
【００１６】
（請求項３）基材と外材の間に有用体が設けられていることを特徴とする請求項１又は２記載の複合ラベル。
【００１７】
【発明の実施の形態】
以下、本発明の実施の形態を図面に基づいて説明する。
【００１８】
図１は、本発明の複合ラベルの一例を示す断面図である。
【００１９】
図１において、１は基材であり、紙やフィルムなどが用いられ、好ましくは紙を用いることである。２は外材であり、紙やフィルムなどが用いられ、好ましくは紙を用いることである。
【００２０】
以下、基材と外材が紙である場合を例として説明する。
【００２１】
基材１と外材２は両側（図面上、左側と右側）は接着剤層３、４で固着されている。左側の接着剤層３は、基材１の左端から所定幅に形成されてもよいし（図２Ａ参照）、また基材１の左端を少し空けて所定幅に形成されてもよい（図２Ｂ参照）。
【００２２】
右側の接着剤層４は、基材１の右端から所定幅に形成されることが好ましい（図３参照）。
【００２３】
基材１と外材２は複合ラベルを構成する上で、必要な長さと幅が要求され、基材１と外材２それぞれは実質的に同じ長さと幅であることが好ましい。
【００２４】
基材１の裏面全面又は部分的に粘着剤層５が塗布形成されている。部分的に塗布形成されるというのは、基材１長手方向の中央部に粘着材層が存在しない領域を形成することである。この粘着剤層に用いられる粘着剤は、貼り付ける容器の材質によりアクリル系再粘着タイプ「リンテック・リピール」（株式会社リンテック社製）、再剥離（弱粘着）タイプ「ＯＫタック  ＷＦ５５  Ｆ８０」（王子タック株式会社製）、一般強粘着タイプ「ＯＫタック  ＷＦ５５  Ｐ２２」（王子タック株式会社製）などを選択して用いることが好ましい。
【００２５】
基材１の表面と裏面、外材２の表面と裏面、粘着剤層５の裏面には、必要により、商品表示、宣伝広告、ノベルティー表示等を印刷していることが好ましい。基材１の表面又は裏面にノベルティー表示（例えば、ポイント、クーポンなど）がなされていると、消費者は基材１を含むラベル全体を容器から剥がすことで、容器廃棄の際に分別回収の一助となる効果がある。
【００２６】
基材１と外材２の間には、有用体１０を設けることが好ましい。有用体には、例えば消費者にとって役立つ情報を記載した媒体（例えば、料理のレシピ、商品取扱説明書など）、商品廃棄用補助シート（例えば、ガムの捨て紙など）などが挙げられる。
【００２７】
図１において、６は基材１に形成される切り線であり、該切り線６は基材１の上面に設けられる接着剤層４の領域よりも内側（図面上、左側）に形成される。
【００２８】
切り線６の形態は、種々の形態があり、図４にはその一部が例示されている。図４（Ａ）は切り線６が基材１の幅全部に亘って設けられた例であり、図４（Ｂ）は切り線６が基材１の一部を残して形成された例である。図４（Ｃ）は切り線６が基材１にミシン目状に形成された例である。図４（Ｄ）は図４（Ｃ）のミシン目よりも１個の切り目を長く形成した所謂スリットタイプの例である。
【００２９】
次に、上記複合ラベルの使用方法について図５、図６に基づいて説明する。
【００３０】
本発明の複合ラベルは通常、図示しない剥離紙に剥離可能に貼着された状態にある。使用する際に、図示しない剥離紙から複合ラベルを剥がす。
【００３１】
次いで図５に示すように、上記複合ラベルを容器７に貼り付ける。貼り付ける面は基材１の裏面の粘着剤層５である。容器としては図示の形状に限定されず、また材質に関してもプラスチック製容器（例えばペットボトル容器）、ガラス製容器、アルミ製容器、セラミック製容器、木製容器、布製容器などが挙げられる。
【００３２】
ラベルを使用する際には、切り線６で切り取り、基材は基材１と基材１ａに分離され、基材１ａの部分は外材２に固着されたままの状態にある。基材１ａの裏面には粘着剤層５ａが形成されている。
【００３３】
図５には、基材１が容器７に粘着剤層５を介して接着され、外材２が完全に被覆していない状態が示されている。
【００３４】
完全に被覆するには、矢符のように外材２の基材１ａが残っている部位を容器７に貼り付ける。貼り付けた状態が図６に示されている。図６に示すように、基材１ａの粘着剤層５ａの部分は、容器７に直接貼着され、基材１には接触しない。つまり紙同士の接着は本発明では存在しない。これが本発明の特徴である。図６は模式的に基材１と基材１ａが離れた状態で示されているが、実際には間隙はほとんど無い。
【００３５】
以上の実施の形態において、基材と外材の一端（左側）は固着されていればよいので、接着剤層によって固着する態様に限定されず、基材と外材が１枚紙で形成される態様でもよい。
【００３６】
また基材と外材の間に設けられる有用体については、基材を延長させてその延長部を有用体としてもよいし、さらに外材を延長させてその延長部を有用体として用いてもよい。
【００３７】
本発明の複合ラベルの用途はその一部が上述されているが、さらに基材と外材、あるいは基材と外材の間に設ける有用体を機能的に利用することにより、能書・食品廃棄用包み紙・４コマ漫画の連載などの用途もある。
【００３８】
【発明の効果】
本発明によれば、外材の剥離回数が増加しても剥離機能が衰えない複合ラベルを提供することができる。
【図面の簡単な説明】
【図１】本発明の複合ラベルの一例を示す断面図
【図２】基材面に形成される接着剤層の形成部位の例を示す図
【図３】基材面に形成される接着剤層の形成部位の例を示す図
【図４】切り線の形態例を示す図
【図５】使用例を示す斜視図
【図６】使用例を示す斜視図
【図７】従来例を示す図
【図８】従来例を示す図
【図９】従来例を示す斜視図
【符号の説明】
１、１ａ：基材
２：外材
３：接着剤層
４：接着剤層
５、５ａ：粘着剤層
６：切り線
７：容器
１０：有用体
【図１】
2004354812.tif 000003
【図２】
2004354812.tif 000004
【図３】
2004354812.tif 000005
【図４】
2004354812.tif 000006
【図５】
2004354812.tif 000007
【図６】
2004354812.tif 000008
【図７】
2004354812.tif 000009
【図８】
2004354812.tif 000010
【図９】
2004354812.tif 000011